(57)【要約】      （修正有）【課題】単一軸方向に対して角度を調整することができるゴルフクラブヘッドを提供する。【解決手段】ヘッド本体１、桿座２および固定ユニット３を有する。ヘッド本体１の底部には直交座標系の原点が形成され、ヘッド本体１の上部にはホーゼルが設けられ、ホーゼルの端部には当接面１１１が含まれ、ヘッド本体１には貫穿溝１２が設けられ、貫穿溝１２は当接面１１１からヘッド本体１の底部まで貫穿するように形成される。桿座２には当接部２１が含まれ、当接部２１はヘッド本体１の当接面１１１と互いに整合し、当接部２１と当接面１１１は互いに当接し、かつ直交座標系の単一軸方向で相対的な変位を生じる。固定ユニット３は貫穿溝１２の中に位置決めされ、かつ桿座２を固定して連接するように構成されている。【選択図】図２
0003183615.tif 000002
【実用新案登録請求の範囲】
【請求項１】
一個のヘッド本体（１）、一個の桿座（２）および一個の固定ユニット（３）を有する角度調整可能なゴルフクラブヘッドにおいて、ヘッド本体（１）の底部には一個の直交座標系の原点が画定され、ヘッド本体（１）の上部には一個のホーゼル（１１）が設けられ、ホーゼル（１１）の端部には一個の当接面（１１１）が含まれ、ヘッド本体（１）には一個の貫穿溝（１２）が設けられ、貫穿溝（１２）は当接面（１１１）からヘッド本体（１）の底部まで貫穿するように形成され、桿座（２）には一個の当接部（２１）が含まれ、当接部（２１）はヘッド本体（１）の当接面（１１１）と互いに整合し、当接部（２１）と当接面（１１１）は互いに当接し、かつ上記直交座標系の単一軸方向で相対的な変位を生じ、固定ユニット（３）は貫穿溝（１２）の中に位置決めされ、かつ桿座（２）を固定して連接することを特徴とする角度調整可能なゴルフクラブヘッド。
【請求項２】
ヘッド本体（１）の当接面（１１１）は一個の斜面からなり、当接面（１１１）の法線方向（Ｎ）は上記直交座標系のＺ軸と平行になるように形成されることを特徴とする請求項１に記載の角度調整可能なゴルフクラブヘッド。
【請求項３】
ヘッド本体（１）の当接面（１１１’）は一個の曲面からなり、当接面（１１１’）はヘッド本体（１）の貫穿溝（１２）の軸方向において二個の高点（Ｈ１）が含まれ、二個の高点（Ｈ１）の連接線（Ｌ１）は上記直交座標系のＹ軸と平行になるように形成されることを特徴とする請求項１に記載の角度調整可能なゴルフクラブヘッド。
【請求項４】
ヘッド本体（１）の当接面（１１１”）は一個の曲面からなり、当接面（１１１”）はヘッド本体（１）の貫穿溝（１２）の軸方向において一個の高点（Ｈ２）が含まれ、かつ一個の相対点（Ｐ）がヘッド本体（１）の貫穿溝（１２）の径方向において高点（Ｈ２）と相対するように形成され、かつ高点（Ｈ２）と相対点（Ｐ）の連接線（Ｌ２）は上記直交座標系のＸ軸と平行になるように形成されることを特徴とする請求項１に記載の角度調整可能なゴルフクラブヘッド。
【請求項５】
貫穿溝（１２）には一個の挿設部（１２ａ）と一個の延伸部（１２ｂ）が分けられ、挿設部（１２ａ）はホーゼル（１１）の当接面（１１１）からヘッド本体（１）の底部に向かって延伸し、延伸部（１２ｂ）は挿設部（１２ａ）に隣接し、さらにヘッド本体（１）の底部まで貫穿し、挿設部（１２ａ）と延伸部（１２ｂ）が互いに連接する部位には径の幅から変化して一個の肩部（１２１）が形成されることを特徴とする請求項１、２、３または４に記載の角度調整可能なゴルフクラブヘッド。
【請求項６】
桿座（２）には互いに連接する一個の挿入部（２ａ）と一個の露出部（２ｂ）が含まれ、かつ互いに連接する部位に当接部（２１）が設けられ、挿入部（２ａ）は貫穿溝（１２）の挿入部（２ａ）の中に穿設され、さらに固定ユニット（３）によって固定して連接され、露出部（２ｂ）は貫穿溝（１２）の外に露出されることを特徴とする請求項５に記載の角度調整可能なゴルフクラブヘッド。
【請求項７】
挿入部（２ａ）の径の幅は露出部（２ｂ）の径の幅より小さくなることにより、当接部（２１）を形成することを特徴とする請求項６に記載の角度調整可能なゴルフクラブヘッド。
【請求項８】
桿座（２）には一個の固定孔（２２）と一個の挿入溝（２３）が設けられ、固定孔（２２）は桿座（２）の挿入部（２ａ）の自由端から凹み込み、挿入溝（２３）は桿座（２）の露出部（２ｂ）の自由端から凹み込むことを特徴とする請求項６に記載の角度調整可能なゴルフクラブヘッド。
【請求項９】
固定ユニット（３）には一個の座金（３１）と一個の固定部材（３２）が含まれ、座金（３１）は貫穿溝（１２）の延伸部（１２ｂ）に位置し、さらに貫穿溝（１２）の肩部（１２１）に当接し、固定部材（３２）は座金（３１）を貫穿して桿座（２）の固定孔（２２）を固定して連接することを特徴とする請求項８に記載の角度調整可能なゴルフクラブヘッド。
【請求項１０】
貫穿溝（１２）の挿設部（１２ａ）はホーゼル（１１）の当接面（１１１）から延伸部（１２ｂ）に向かって拡径する円錐形の態様からなることを特徴とする請求項５に記載の角度調整可能なゴルフクラブヘッド。
【請求項１１】
挿設部（１２ａ）の内周壁と桿座（２）の間には一個の角度（θ）が含まれ、角度（θ）は０．５度から５度までであることを特徴とする請求項１０に記載の角度調整可能なゴルフクラブヘッド。
【考案の詳細な説明】
【技術分野】
【０００１】
本考案は、ゴルフクラブヘッドに関するもので、特にヘッドの角度調整の機能を有することにより、異なる番手の数本のクラブの代わりに使用することができる角度調整可能なゴルフクラブヘッドに関するものである。
【背景技術】
【０００２】
従来のゴルフクラブでは、そのシャフトとヘッドの間の傾斜角度を調整することができず、プレーする際には、各種のスイングの需要性に応じて用いられる通常十本以上の異なる種類と番手のクラブを含む１セットのゴルフクラブを必要としている。そのため、打球時おいては１セットの重たいクラブを運んでゴルフ場で移動しなければならず、使用者に負担が掛かるだけではなく、家とゴルフ場への行き来における車両での運搬過程において、或いは平日で使用しない時に沢山のゴルフクラブで過大な収納空間を占めてしまうなどの要素により、多くの困惑と問題点が生じていた。
【０００３】
そのため、中華民国公告第５１５３２１号の「ヘッドの角度調整可能なゴルフクラブ」、公告第Ｍ２７２５５７号の「ゴルフパター」、中華民国公開第２０１１０３６０７号の「ゴルフクラブヘッドとホーゼルに用いられる解放自在と交換自在な連接部材」、公開第２０１１２９４０８号の「フェースの調整可能なゴルフクラブまたはゴルフクラブヘッド」およびアメリカ公告番号第７９９７９９７号の「交換可能なシャフトシステム」等においては、全てシャフトとヘッドの間の傾斜角度を調整することができるゴルフクラブが掲示され、単一のクラブで多数本の異なる番手のクラブの代わりに使用することにより、上述した問題点を解決しようとするものである。
【先行技術文献】
【特許文献】
【０００４】
【特許文献１】中華民国公告第５１５３２１号
【特許文献２】中華民国公告第Ｍ２７２５５７号
【特許文献３】中華民国公開第２０１１０３６０７号
【特許文献４】中華民国公開第２０１１２９４０８号
【特許文献５】アメリカ公告第７９９７９９７号
【考案の概要】
【考案が解決しようとする課題】
【０００５】
しかしながら、上述した先行技術文献においてはすでに多種類のヘッドの角度調整可能なゴルフクラブを掲示していたにも関わらず、上述した従来のゴルフクラブを使用してヘッドの傾斜角度を調整する場合、全て少なくとも二つ以上の軸方向の角度を動かすものであり、各軸方向の角度を単独で調整することができないため、使用者はゴルフクラブヘッドを本当に必要とする角度に正確に調整することができないという問題点があった。
【０００６】
上述した原因の故に、従来の角度調整可能なゴルフクラブヘッドを確実に改良しなければならないものでしかない。
【０００７】
本考案はこのような問題点に鑑みて考案されたものであって、その目的は単一軸方向に対して角度を調整することができる角度調整可能なゴルフクラブヘッドを提供しようとするものである。
【課題を解決するための手段】
【０００８】
上記目的を達成するために、本考案による角度調整可能なゴルフクラブヘッドは、一個のヘッド本体、一個の桿座および一個の固定ユニットを有する。ヘッド本体の底部には一個の直交座標系の原点が形成される。ヘッド本体の上部には一個のホーゼルが設けられ、ホーゼルの端部には一個の当接面が含まれる。ヘッド本体には一個の貫穿溝が設けられ、貫穿溝は当接面からヘッド本体の底部まで貫穿するように形成される。桿座には一個の当接部が含まれ、当接部はヘッド本体の当接面と互いに整合する。当接部と当接面とは互いに当接し、かつ上記直交座標系の単一軸方向で相対的な変位を生じる。固定ユニットは貫穿溝の中に位置決めされ、かつ桿座を固定して連接する。
【０００９】
また、本考案による角度調整可能なゴルフクラブヘッドは、ヘッド本体の当接面は一個の斜面からなり、当接面の法線方向は直交座標系のＺ軸と平行になるように形成することもできる。また、ヘッド本体の当接面は一個の曲面からなり、当接面はヘッド本体の貫穿溝の軸方向において二個の高点が含まれ、二個の高点の連接線は上記直交座標系のＹ軸とは平行になるように形成することもできる。また、ヘッド本体の当接面は一個の曲面からなり、当接面はヘッド本体の貫穿溝の軸方向において一個の高点が含まれ、かつ一個の相対点がヘッド本体の貫穿溝の径方向において高点と相対するように形成され、かつ高点と相対点の連接線は直交座標系のＸ軸と平行になるように形成することもできる。また、貫穿溝には一個の挿設部と一個の延伸部が分けられ、挿設部はホーゼルの当接面からヘッド本体の底部に向かって延伸し、延伸部は挿設部に隣接し、さらにヘッド本体の底部まで貫穿し、挿設部と延伸部が互いに連接する部位には径の幅から変化して一個の肩部を形成することもできる。また、桿座には互いに連接する一個の挿入部と一個の露出部が含まれ、かつ互いに連接する部位には当接部が設けられ、挿入部は貫穿溝の挿入部の中に穿設され、さらに固定ユニットによって固定して連接され、露出部は貫穿溝の外に露出されることもできる。また、挿入部の径の幅は露出部の径の幅より小さくなることにより、当接部を形成することもできる。また、桿座には一個の固定孔と一個の挿入溝が設けられ、固定孔は桿座の挿入部の自由端から凹み込んで、挿入溝は桿座の露出部の自由端から凹み込むように形成することもできる。また、固定ユニットには一個の座金と一個の固定部材が含まれ、座金は貫穿溝の延伸部に位置し、さらに貫穿溝の肩部に当接し、固定部材は座金を貫穿して桿座の固定孔を固定して連接することもできる。また、貫穿溝の挿設部はホーゼルの当接面から延伸部に向かって拡径する円錐形の態様からなることもできる。また、挿設部の内周壁と桿座の間には一個の角度が含まれ、その角度は０．５度から５度までであることが望ましい。
【考案の効果】
【００１０】
本考案の角度調整可能なゴルフクラブヘッドによれば、単一軸方向に対して角度を調整することができるという利点がある。
【図面の簡単な説明】
【００１１】
【図１】図１は、本考案の実施例１の分解斜視図である。
【図２】図２は、本考案の実施例１の組み立てられた構造の説明図である。
【図３】図３は、本考案の実施例１の断面構造の説明図である。
【図４】図４は、図３のＡ−Ａ線に沿った断面構造の説明図である。
【図５】図５は、本考案の実施例１の平面図である。
【図６】図６は、本考案の実施例１の実施形態の説明図である。
【図７】図７は、本考案の実施例２の分解斜視図である。
【図８】図８は、本考案の実施例２の組み立てられた構造の説明図である。
【図９】図９は、本考案の実施例２の断面構造の説明図である。
【図１０】図１０は、本考案の実施例２の実施形態の説明図である。
【図１１】図１１は、本考案の実施例３の分解斜視図である。
【図１２】図１２は、本考案の実施例３の組み立てられた構造の説明図である。
【図１３】図１３は、図１２のＢ−Ｂ線に沿った断面構造の説明図である。
【図１４】図１４は、本考案の実施例３の実施形態の説明図である。
【考案を実施するための最良の形態】
【００１２】
本考案の実施の形態について、以下、図面を参照して説明する。
【実施例１】
【００１３】
図１は本考案の実施例１の分解斜視図で、図２は本考案の実施例１の組み立てられた構造の説明図で、図３は本考案の実施例１の断面構造の説明図である。図１、２、３を参照すると、本考案の角度調整可能なゴルフクラブヘッドは大体として一個のヘッド本体１、一個の桿座２および一個の固定ユニット３が含まれる。桿座２はヘッド本体１と一個のシャフトＳとを連接するのに用いられる。シャフトＳの一端は桿座２の中に穿設され、かつ桿座２の一部分はヘッド本体１の中に穿設され、さらに固定ユニット３によって固定されて位置決めすることができる。
【００１４】
ヘッド本体１の底部には一個のポイントＯ（例えば図２を参照）が含まれ、使用者がシャフトＳを握持した時、ヘッド本体１はポイントＯをもって一個の平面（例えば地面）と接触する。ポイントＯは一個の直交座標系の原点として定義することができ、かつ平面は即ちＸ−Ｙの平面であり、上記直交座標系のＹ軸はシャフトＳがＸ−Ｙの平面まで投影する中心線と平行になるように形成される。
【００１５】
ヘッド本体１の上部には一個のホーゼル１１が設けられ、ホーゼル１１の端部には一個の当接面１１１が含まれる。実施例１において、当接面１１１は一個の斜面からなり、かつ当接面１１１の法線方向Ｎは上記直交座標系のＺ軸（例えば図２を参照）と平行になるように形成される。また、ヘッド本体１には一個の貫穿溝１２が設けられる。貫穿溝１２は当接面１１１からヘッド本体１の底部まで貫穿することにより、一部分の桿座２はホーゼル１１の中に穿設され、さらに固定ユニット３はヘッド本体１の底部から貫穿溝１２に貫穿して桿座２を固定して位置決めすることができる。
【００１６】
さらに詳しく言えば、貫穿溝１２は大体として一個の挿設部１２ａと一個の延伸部１２ｂに分けられる。挿設部１２ａはホーゼル１１の当接面１１１からヘッド本体１の底部に向かって延伸し、挿設部１２ａはシャフトＳが結合された桿座２が穿設するのに用いられる。延伸部１２ｂは挿設部１２ａに隣接し、かつヘッド本体１の底部まで貫穿され、挿設部１２ａと延伸部１２ｂが互いに連接する部位には径の幅が変化して一個の肩部１２１を形成される。肩部１２１は固定ユニット３が当接して位置決めするのに用いられる。
【００１７】
図４は図３のＡ−Ａ線に沿った断面構造の説明図である。図４を参照すると、挿設部１２ａは円錐形の態様に形成され、かつホーゼル１１の自由端（すなわち当接面１１１の部位）から延伸部１２ｂに向かって拡径することにより、挿設部１２ａの内周壁と桿座２の間に一個の角度θが形成されるため、桿座２がヘッド本体１に対して回動する時に必要な活動の自由度とすることができる。実施例１において、角度θは好ましくは０．５度から５度までで、適当な大きさを有する活動の自由度を提供することができるため、桿座２はヘッド本体１に対してスムーズに回動することができると同時に、貫穿溝１２の挿設部１２ａによって桿座２の位置決めを補助することができる。
【００１８】
再び図１、２、３を参照すると、桿座２には互いに連接する一個の挿入部２ａと一個の露出部２ｂが含まれる。挿入部２ａと露出部２ｂが互いに連接する部位には挿入部２ａの径の幅を露出部２ｂの径の幅より小さくすることによって一個の当接部２１が形成される。当接部２１とヘッド本体１の当接面１１１は互いに整合し、挿入部２ａが貫穿溝１２の挿設部１２ａに穿設される時、桿座２は当接部２１からヘッド本体１の当接面１１１に当接することができるため、露出部２ｂは貫穿溝１２の外に露出される。
【００１９】
その他に、桿座２には他に一個の固定孔２２と一個の挿入溝２３が設けられる。固定孔２２は挿入部２ａの自由端から凹み込むことにより、固定ユニット３を固定して位置決めすることができる。挿入溝２３は露出部２ｂの自由端から凹み込むことにより、シャフトＳの一端を穿設して位置決めすることができる。実施例１において、固定孔２２は例えば一個のねじ孔からなることができ、かつシャフトＳは選択的にしまりばめの方式で挿入溝２３の中に位置決めされる。
【００２０】
固定ユニット３はヘッド本体１の貫穿溝１２の中に位置決めされ、さらに桿座２の挿入部２ａを固定して連接するのに用いられる。実施例１において、固定ユニット３には一個の座金３１と一個の固定部材３２が含まれる。座金３１はヘッド本体１の底部から貫穿溝１２の延伸部１２ｂに置き入れることができ、さらに貫穿溝１２の肩部１２１に当接することができる。固定部材３２は例えば一個のねじからなることができ、固定部材３２は座金３１を貫穿し、さらに桿座２の固定孔２２まで連接して固定されることにより、桿座２の当接部２１はホーゼル１１の当接面１１１に当接するように維持することができるため、シャフトＳは桿座２を通じてヘッド本体１と安定して互いに連接することができる。
【００２１】
図５は本考案の実施例１の平面図で、図６は本考案の実施例１の実施形態の説明図である。図５、６を参照すると、上述した構造的特徴によって本考案の実施例１のゴルフクラブヘッドに対して角度を調整するとき、使用者は先ず固定部材３２をゆるめ、そして使用上の需要性に応じてヘッド本体１を回動させ、ホーゼル１１の当接面１１１と桿座２の当接部２１に相対的な回転を生じさせる。これにより、ヘッド本体１には上述した直交座標系のＺ軸を軸心として単一軸方向による角度調整の作動が生じられ、それからフェース角（Face Angle）に対して調整を行なうことにより、ゴルフクラブヘッドの角度調整の精確性を高めることができる。角度調整を完成すると、再び固定部材３２をきつく締めることにより、桿座２の当接部２１はヘッド本体１の当接面１１１に当接することができる。
【実施例２】
【００２２】
図７は本考案の実施例２の分解斜視図で、図８は本考案の実施例２の組み立てられた構造の説明図で、図９は本考案の実施例２の断面構造の説明図である。図７、８、９を参照すると、本考案の実施例２は大体として上述した実施例１と同じであり、その差異は本考案の実施例２において選択的に上述した直交座標系のＸ軸を軸心として単一軸方向による角度調整の作動を生じさせることである。
【００２３】
すなわち、実施例２においては、ヘッド本体１のホーゼル１１の端部の当接面１１１’は一個の曲面の型態からなり、桿座２の当接部２１’は当接面１１１’と互いに整合する曲面からなることができ、かつ当接面１１１’はヘッド本体１の貫穿溝１２の軸方向において二個の高点Ｈ１が含まれる。二個の高点Ｈ１の連接線Ｌ１は上記直交座標系のＸ軸と平行になるように形成される。
【００２４】
他に、ヘッド本体１の貫穿溝１２の挿設部１２ａは円錐形の態様からなり、かつホーゼル１１の自由端（すなわち当接面１１１’の部位）から貫穿溝１２の延伸部１２ｂに向かって拡径することにより、挿設部１２ａの内周壁と桿座２の間には一個の角度θが形成されるため、桿座２がヘッド本体１に対して回動する時に必要な活動の自由度とすることができる。実施例２において、角度θは好ましくは０．５度から５度までである。
【００２５】
図１０は本考案の実施例２の実施形態の説明図である。図１０を参照すると、上述した構造的特徴によって本考案の実施例２のゴルフクラブヘッドに対して角度を調整するとき、使用者は先ず固定部材３２をゆるめ、そして使用上の需要性に応じてヘッド本体１を回動させ、ホーゼル１１の当接面１１１’と桿座２の当接部２１’に相対的な滑りによる変位を生じさせる。これにより、ヘッド本体１には上述した直交座標系のＸ軸を軸心として単一軸方向による角度調整の作動が生じられ、それからロフト角（Loft Angle）に対して調整を行なうことにより、ゴルフクラブヘッドの角度調整の精確性を高めることができる。角度調整を完成すると、再び固定部材３２をきつく締めることにより、桿座２の当接部２１’は再びヘッド本体１の当接面１１１’に当接することができる。
【実施例３】
【００２６】
図１１は本考案の実施例３の分解斜視図で、図１２は本考案の実施例３の組み立てられた構造の説明図で、図１３は図１２のＢ−Ｂ線に沿った断面構造の説明図である。図１１、１２、１３を参照すると、本考案の実施例３は大体として上述した実施例２と同じであり、その差異は本考案の実施例３において選択的に上述した直交座標系のＹ軸を為軸心として単一軸方向による角度調整の作動が生じさせることにある。
【００２７】
すなわち、実施例３においてヘッド本体１のホーゼル１１の端部の当接面１１１”は一個の曲面の型態からなり、桿座２の当接部２１”は当接面１１１”と互いに整合する曲面からなることができる。当接面１１１”はヘッド本体１の貫穿溝１２の軸方向において一個の高点Ｈ１が含まれ、かつ一個の相対点Ｐがヘッド本体１の貫穿溝１２の径方向において高点Ｈ２と相対するように形成され、かつ高点Ｈ２と相対点Ｐの連接線Ｌ２は上記直交座標系のＹ軸と平行になるように形成される。
【００２８】
図１４は本考案の実施例３の実施形態の説明図である。図１４を参照すると、上述した構造的特徴によって本考案の実施例３のゴルフクラブヘッドに対して角度を調整するとき、使用者は先ず固定部材３２をゆるめ、そして使用上の需要性に応じてヘッド本体１を回動させる。ホーゼル１１の当接面１１１”と桿座２の当接部２１”に相対的な滑りによる変位を生じさせることにより、ヘッド本体１には上述した直交座標系のＹ軸を軸心として単一軸方向による角度調整の作動が生じられ、それからライ角（Lie Angle）に対して調整を行なうことにより、ゴルフクラブヘッドの角度調整の精確性を高めることができる。角度調整を完成した後、再び固定部材３２をきつく締めることにより、桿座２の当接部２１”は再びヘッド本体１の当接面１１１”に当接することができる。
【００２９】
綜合すると、本考案の角度調整可能なゴルフクラブヘッドにおいては、ヘッド本体の当接面と桿座の当接部を互いに整合するように設けることにより、かつ特定の軸方向に対して相対的な変位の形態を生じさせることにより、ヘッド本体と桿座の間には単一軸方向に対して角度の調整を行なうことができ、使用者にとってゴルフクラブヘッドを本当に必要とする角度に正確に調整することができるため、ゴルフクラブヘッドの角度調整の精確性を高めることができる。
【００３０】
本考案は、その精神および必須の特徴事項から逸脱することなく他のやり方で実施することもできる。従って、本明細書に記載した好ましい実施形態は例示的なものであり、限定を意図するものではない。
【符号の説明】
【００３１】
１    ヘッド本体
１１    ホーゼル
１１１、１１１’、１１１”    当接面
１２    貫穿溝
１２ａ    挿設部
１２ｂ    延伸部
１２１    肩部
２    桿座
２ａ    挿入部
２ｂ    露出部
２１、２１’、２１”    当接部
２２    固定孔
２３    挿入溝
３    固定ユニット
３１    座金
３２    固定部材
Ｓ    シャフト
Ｏ    ポイント
Ｎ    法線方向
θ    角度
Ｈ１、Ｈ２    高点
Ｐ    相対点
Ｌ１、Ｌ２    連接線
【図１】
0003183615.tif 000003
【図２】
0003183615.tif 000004
【図３】
0003183615.tif 000005
【図４】
0003183615.tif 000006
【図５】
0003183615.tif 000007
【図６】
0003183615.tif 000008
【図７】
0003183615.tif 000009
【図８】
0003183615.tif 000010
【図９】
0003183615.tif 000011
【図１０】
0003183615.tif 000012
【図１１】
0003183615.tif 000013
【図１２】
0003183615.tif 000014
【図１３】
0003183615.tif 000015
【図１４】
0003183615.tif 000016